(57)【要約】  【課題】  複雑な部材を使用せずに画像表示装置の背面に接地配線を配置し、製造、組み立てコストを低減することができる画像表示装置及び画像表示装置への接地配線取付け方法を提供する。  【解決手段】    係合凸部１１１に接地配線２の第１の端部２１が係合され、係合凸部１１２に接地配線２の第２の端部２２がテンションスプリング３を介して係合されており、キャビネット４に放熱板５が取り付けられルとともに接地されており、接地配線２の一部が係合されている。【選択図】      図１
2006041853.tif 000002
【特許請求の範囲】
【請求項１】
ＣＲＴ本体と、
前記ＣＲＴ本体の背面の四隅に備えられる係合凸部と、
前記ＣＲＴ本体の背面に接触し該ＣＲＴ本体に帯電する電荷を取り除く接地配線と、
内部で発生する熱を放射するための放熱板とを有する画像表示装置であって、
前記ＣＲＴ本体の背面にはカーボン塗装が施されており、
前記接地配線は導電性を有する電線であり、両端部に閉じた環状のフックを有しており
、
前記放熱板は導電性を有し、かぎ状のスリットが形成されるとともに接地されており、
前記接地配線は電線の一部が前記放熱板のかぎ状のスリットに係合されており、閉じた
環状フックの一方を前記ＣＲＴ本体の四隅に設けられた係合凸部のうち上部に配置されて
いる係合凸部と係合し、他方の環状フックを前記一方の環状フックが係合されている係合
凸部と対角線上に配置される係合凸部にテンションスプリングを介して係合していること
を特徴とする画像表示装置。
【請求項２】
ＣＲＴ本体と、
前記ＣＲＴ本体の背面の四隅に備えられる係合凸部と、
前記ＣＲＴ本体の背面に接触し該ＣＲＴ本体に帯電する電荷を取り除く接地配線と、
内部で発生する熱を放射するための放熱板とを有する画像表示装置であって、
前記ＣＲＴ本体の背面には導電被膜が形成されており、
前記接地配線は導電性を有する電線であり、
前記放熱板は導電性を有し、かぎ状のスリットが形成されるとともに接地されており、
前記接地配線は電線の一部が前記放熱板のかぎ状のスリットに係合されており、一方の
端部を前記ＣＲＴ本体の四隅に設けられた係合凸部のうち上部に配置されている係合凸部
に係合されるとともに固定手段で固定され、他方の端部を前記一方の端部が固定された係
合凸部と対角線上に配置される係合凸部取り付けられた張力付加手段と係合し、固定手段
で固定されていることを特徴とする画像表示装置。
【請求項３】
前記接地配線の両端部には前記係合凸部と係合することができる係合部を備えているこ
とを特徴とする請求項２に記載の画像表示装置。
【請求項４】
背面にカーボン塗装が施されているＣＲＴ本体と、前記ＣＲＴ本体の背面の四隅に備え
られる係合凸部と、前記ＣＲＴ本体の背面に接触し該ＣＲＴ本体に帯電する電荷を取り除
く接地配線と、内部で発生する熱を放射するための放熱板とを有する画像表示装置におい
て、
前記接地配線は導電性を有する電線であり、両端部に閉じた環状のフックを有しており
、
前記放熱板は導電性を有し、かぎ状のスリットが形成されるとともに接地されており、
前記接地配線は電線の一部が前記放熱板のかぎ状のスリットに係合されており、閉じた
環状フックの一方を前記ＣＲＴ本体の四隅に設けられた係合凸部のうち上部に配置されて
いる係合凸部と係合し、他方の環状フックを前記一方の環状フックが係合されている係合
凸部と対角線上に配置される係合凸部にテンションスプリングを介して係合することを特
徴とする画像表示装置への接地配線取付け方法。
【請求項５】
背面に導電被膜が形成されたＣＲＴ本体と、前記ＣＲＴ本体の背面の四隅に備えられる
係合凸部と、前記ＣＲＴ本体の背面に接触し該ＣＲＴ本体に帯電する電荷を取り除く接地
配線と、内部で発生する熱を放射するための放熱板とを有する画像表示装置において、
前記放熱板は導電性を有し、かぎ状のスリットが形成されるとともに接地されており、
前記接地配線は電線の一部が前記放熱板のかぎ状のスリットに係合されており、該接地
配線の一方の端部を前記ＣＲＴ本体の四隅に設けられた係合凸部のうち上部に配置されて
いる係合凸部に係合するとともに固定手段で固定し、他方の端部を前記一方の端部を固定
している係合凸部と対角線上に配置される係合凸部に取り付けられた張力付加手段と係合
し、固定手段で固定することを特徴とする画像表示装置への接地配線取付け方法。
【発明の詳細な説明】
【技術分野】
【０００１】
本発明は、ＴＶ受像機、ＰＣモニタ等に用いられる画像表示装置に関するものであり、
より詳しくは、ＣＲＴの帯電防止用導電性コーティングを接地するための接地配線に関す
るものである。
【背景技術】
【０００２】
ＴＶ受像機、ＰＣモニタ等の画像表示装置としてＣＲＴを備えたものが広く採用されて
いる。ＣＲＴの表面は帯電しやすくなっており、その帯電した電荷を前記ＣＲＴの表面よ
り取り除くために接地配線を該ＣＲＴ表面に配置している。
【０００３】
図５に従来の画像表示装置の一例の側面図を、図６に図５に示す画像表示装置に取り付
けられる接地配線の平面図を示す。図５に示すとおりＣＲＴ本体９１には、基板９０と、
接地配線９２が取り付けられている。
【０００４】
図５に示すようにＣＲＴ本体９１には四隅に係合凸部９３が取り付けられている。この
係合凸部９３のうち対角線上に配置された２個の係合凸部（それには限定されないが、こ
こでは左上の係合凸部９３１と右下の係合凸部９３２）に接地配線９２を係合し、一方の
係合凸部（ここでは、右下の係合凸部９３２）に接地配線９２に張力を掛けて接地配線９
２がＣＲＴ本体９１の表面に沿うようにするテンションスプリング９４が取り付けられて
いる。また、左上の係合凸部９３１から、基板９０に接地配線９２を接続して接地する。
【０００５】
接地配線９２は図６に示す形状を有している。すなわち、ＣＲＴ本体９１の表面に接触
してＣＲＴ本体９１の表面に帯電した電荷を取り除く導電線９２１と、導電線９２１と電
気的に接続しており、導電線９２１が接続している側と反対側に基板９０の接地部と接続
するためのコネクタ９２３を有しているリード線９２２とを有している。
【０００６】
導電線９２１は被覆されておらず全長にわたって導電性を有している。また、リード線
９２２の導電線９２１との接続部９２４とコネクタ９２３が取り付けられている部分以外
には絶縁性を有する被覆が施されている。
【０００７】
導電線９２１の端部９２５にはＣＲＴ本体９１の右下の係合凸部９３２にテンションス
プリング９４を介して係合するために閉じた環状フック９２６が形成されている。また、
導電線９２１とリード線９２２の接続部９２４にも同様の閉じた環状フック９２７が形成
されており、環状フック９２７はＣＲＴ本体９１の左上の係合凸部９３１に係合される。
【０００８】
導電線９２１はテンションスプリング９４にて所定の張力で引っ張られており、その力
でＣＲＴ本体９１の表面に沿って配置される。導電線９２１は被覆が施されていないので
、接触する部分は全て導電状態であり、接触する部分が長い（接触面積が広い）ほど、一
度に多くの電荷を逃すことができる。また、リード線９２２は絶縁性を有する被覆が施さ
れているので、他の部品と電荷をやり取りすることはない。
【特許文献１】特開２００２−１０１７１号公報
【特許文献２】特開２００２−１５２６２９号公報
【特許文献２】特開平６−１４１２６５号公報
【発明の開示】
【発明が解決しようとする課題】
【０００９】
しかしながら、接地配線９２を使用する場合、リード線９２２を基板９０の接地部に
接続するときに、リード線９２２側にコネクタ９２３、基板９０側にもコネクタ９２３と
係合することができるピンを備えなくてはならず、構造が複雑になる。
【００１０】
また、接地配線９２の形状も図６に示すように導電線９２１とリード線９２２を接続し
、環状のフック９２６、９２７を備えた複雑な形状であり、製造、据え付けともに時間及
びコストがかかる。
【００１１】
そこで本発明は、複雑な部材を使用せずにＣＲＴの背面に接地配線を配置し、製造、組
み立てコストを低減することができるＣＲＴ及びＣＲＴへの接地配線取付け方法を提供す
ることを目的とする。
【課題を解決するための手段】
【００１２】
上記目的を達成するために請求項１の発明は、ＣＲＴ本体と、前記ＣＲＴ本体の背面の
四隅に備えられる係合凸部と、前記ＣＲＴ本体の背面に接触し該ＣＲＴ本体に帯電する電
荷を取り除く接地配線と、内部で発生する熱を放射するための放熱板とを有する画像表示
装置であって、前記ＣＲＴ本体の背面にはカーボン塗装が施されており、前記接地配線は
導電性を有する電線であり、両端部に閉じた環状のフックを有しており、前記放熱板は導
電性を有し、かぎ状のスリットが形成されるとともに接地されており、前記接地配線は電
線の一部が前記放熱板のかぎ状のスリットに係合されており、閉じた環状フックの一方を
前記ＣＲＴ本体の四隅に設けられた係合凸部のうち上部に配置されている係合凸部と係合
し、他方の環状フックを前記一方の環状フックが係合されている係合凸部と対角線上に配
置される係合凸部にテンションスプリングを介して係合していることを特徴とする画像表
示装置を提供する。
【００１３】
この構成によると、簡単な形状の接地配線を前記ＣＲＴ本体の背面に密着して添わせる
ことができる。これにより、製造、組み立てのコストを低減することができる。
【００１４】
上記目的を達成するために請求項２の発明は、ＣＲＴ本体と、前記ＣＲＴ本体の背面の
四隅に備えられる係合凸部と、前記ＣＲＴ本体の背面に接触し該ＣＲＴ本体に帯電する電
荷を取り除く接地配線と、内部で発生する熱を放射するための放熱板とを有する画像表示
装置であって、前記ＣＲＴ本体の背面にはカーボン塗装が施されており、前記接地配線は
導電性を有する電線であり、前記放熱板導電性を有し、かぎ状のスリットが形成されると
ともに接地されており、前記接地配線は電線の一部が前記放熱板のかぎ状のスリットに係
合されており、一方の端部を前記ＣＲＴ本体の四隅に設けられた係合凸部のうち上部に配
置されている係合凸部に係合されるとともに固定手段で固定され、他方の端部を前記一方
の端部が係合凸部と対角線上に配置される係合凸部取り付けられた張力付加手段と係合し
、固定手段で固定されていることを特徴とする画像表示装置を提供する。
【００１５】
この構成によると、簡単な形状の接地配線を前記ＣＲＴ本体の背面に密着して添わせる
ことができる。これにより、製造、組み立てのコストを低減することができる。
【００１６】
前記接地配線の両端部を固定する固定手段として、溶接による固定、金属板を巻きつけ
てかしめて固定するもの等、前記係合凸部に係合し、張力付加手段による張力が付加され
た状態でも脱落しないものを広く採用することができる。また、係合凸部と係合可能な係
合部を備えていてもよい。係合部は導電性を有するものであってもよく、絶縁性を有する
ものであってもよい。
【００１７】
上記目的を達成するために請求項４の発明は、背面にカーボン塗装が施されているＣＲ
Ｔ本体と、前記ＣＲＴ本体の背面の四隅に備えられる係合凸部と、前記ＣＲＴ本体の背面
に接触し該ＣＲＴ本体に帯電する電荷を取り除く接地配線と、内部で発生する熱を放射す
るための放熱板とを有する画像表示装置において、前記接地配線は導電性を有する電線で
あり、両端部に閉じた環状のフックを有しており、前記放熱板は導電性を有し、かぎ状の
スリットが形成されるとともに接地されており、前記接地配線は電線の一部が前記放熱板
のかぎ状のスリットに係合されており、閉じた環状フックの一方を前記ＣＲＴ本体の四隅
に設けられた係合凸部のうち上部に配置されている係合凸部と係合し、他方の環状フック
を前記一方の環状フックが係合されている係合凸部と対角線上に配置される係合凸部にテ
ンションスプリングを介して係合することを特徴とする画像表示装置への接地配線取付け
方法を提供する。
【００１８】
この構成によると、簡単な形状の接地配線を前記ＣＲＴ本体の背面に密着して添わせる
ので既存の画像表示装置に対しても、接地することが可能でありコストダウンを図ること
ができる。
【００１９】
上記目的を達成するために請求項５の発明は、背面に導電被膜が形成されたＣＲＴ本体
と、前記ＣＲＴ本体の背面の四隅に備えられる係合凸部と、前記ＣＲＴ本体の背面に接触
し該ＣＲＴ本体に帯電する電荷を取り除く接地配線と、内部で発生する熱を放射するため
の放熱板とを有する画像表示装置において、前記放熱板は導電性を有し、かぎ状のスリッ
トが形成されるとともに接地されており、前記接地配線は電線の一部が前記放熱板のかぎ
状のスリットに係合されており、該接地配線の一方の端部を前記ＣＲＴ本体の四隅に設け
られた係合凸部のうち上部に配置されている係合凸部に係合するとともに固定手段で固定
し、他方の端部を前記一方の端部を固定している係合凸部と対角線上に配置される係合凸
部に取り付けられた張力付加手段と係合し、固定手段で固定することを特徴とする画像表
示装置への接地配線取付け方法を提供する。
【００２０】
この構成によると、簡単な形状の接地配線を前記ＣＲＴ本体の背面に密着して添わせる
ので既存の画像表示装置に対しても、接地することが可能でありコストダウンを図ること
ができる。
【発明の効果】
【００２１】
本発明によると、複雑な部材を使用せずに画像表示装置の背面に接地配線を配置するこ
とができ、それだけ、製造、組み立てコストを低減することができるＣＲＴを提供するこ
とができる。
【００２２】
本発明によると、複雑な部材を使用せずに画像表示装置の背面に接地配線を配置するこ
とができ、それだけ、製造、組み立てコストを低減することができるＣＲＴへの接地配線
取付け方法を提供することができる。
【発明を実施するための最良の形態】
【００２３】
以下に本発明の実施形態を図面を参照して説明する。図１に本発明にかかる画像表示装
置の一例の側面図を、図２に図１に示す画像表示装置の背面図を示す。ＣＲＴ本体１はそ
れには限定されないがここではＴＶ受像機に備えられているものである。ＣＲＴ本体１の
表面には電荷が溜まるので接地配線２にて接地部に流してやる必要がある。ＣＲＴ本体１
の四隅には係合凸部１１が形成されている。
【００２４】
四隅の係合凸部１１のうちそれには限定されないが、ここでは左上の係合凸部１１（１
１１）に接地配線２の第１の端部２１が係合され、対角線上に配置された（右下の）係合
凸部１１（１１２）に接地配線２の第２の端部２２が係合されている。第２の端部２２は
接地配線２をＣＲＴ本体１に押し付けるための張力を発生するテンションスプリング３を
介して係合されている。
【００２５】
ＴＶ受像機のキャビネット４には後述する放熱板５が取り付けられており、接地配線２
の一部が係合されている。放熱板５はキャビネット４に強固に固定されており、テンショ
ンスプリング３の張力によって接地配線２に引っ張られてもずれたり、倒れたりしないも
のである。また、放熱板５は接地されている。
【００２６】
図３に本発明にかかる画像表示装置の背面に配置される接地配線を示す。接地配線２は
、両端部２１、２２にＣＲＴ本体１の四隅に配置されている係合凸部１１（１１１、１１
２）と係合することができる係合部２１１、２２１が形成されている。係合部２１１、２
２１はそれに限定されるものではないがここでは、図３に示すように閉じた環状フックで
ある。接地配線２はそれに限定されないが、ここでは被覆のないいわゆる裸電線であり、
全ての部分が導電性を有している。電線の種類は撚り線、編線等、導電効果の高い電線を
広く採用することが可能である。
【００２７】
図４に図１に示す放熱板の斜視図を示す。放熱板５は平板を折り曲げた形状を有してお
り、第１の平面部５１と第２の平面部５２とを有している。第２の平面部の上端部５２０
に接地配線２を係合するためのかぎ状スリット５２１が形成されている。第１の平面部５
１及び第２の平面部５２いずれもがキャビネット４に垂直に直立して配置されており、第
１の平面部５１は前記ＣＲＴ本体１の背面１２に対面しており、第２の平面部５２は第１
の平面部５１よりＣＲＴ本体１に向う方向に配置される。
【００２８】
上述のとおり第２の平面部５２の上端部５２０にはかぎ状スリット５２１が形成されて
おり、かぎ状スリット５２１に接地配線２を係合することができる。接地配線２はテンシ
ョンスプリング３によって張力が掛けられており、放熱板５のかぎ状スリット５２１と接
地配線２は常時接触した状態を維持する。放熱板５は導電性を有するとともに接地されて
おり、接地配線２は導電性を有しているので接地配線２も接地される。
【００２９】
ＣＲＴ本体１の背面１２には、導電性被膜としてカーボン塗装が施されている。接地配
線２は上述のとおりテンションスプリング３にて張力が掛けられている。これにより、接
地配線２はＣＲＴ本体１の背面に沿って密着することができる。接地配線２がＣＲＴ本体
１の背面１２に密接することでＣＲＴ本体１との接触長さを長くすることができ、換言す
ると接触面積を広くすることができ、それだけ、ＣＲＴ本体１に帯電した多くの電荷を接
地点（ここでは放熱板５）に流すことが可能である。
【００３０】
上記実施例において、接地配線２をＣＲＴ本体１に備えられた係合凸部１１のうち左上
１１１及び右下１１２に配置されるものを利用するもの例示しているが、それに限定され
るものではなく、放熱板５に係合でき、且つ、ＣＲＴ本体１の背面１２に対する接触長さ
を長くできるものを広く採用することができる。
【００３１】
放熱板５は平板を折り曲げてＬ字状の断面を有するものを採用しているが、それに限定
されるものではなく、接地配線２を確実に係合することができ、接地配線２に引っ張られ
ても破損、変形等の不具合が発生しないものを広く採用することができる。また、放熱板
５はそれ全体が接地されている必要はなく、接地配線２が接触する部分だけが接地されて
いるものであってもよい。
【００３２】
上記実施例では接地配線２への張力付加手段としてテンションスプリング３を採用して
いるが、それに限定されるものではなく、接地配線２がＣＲＴ本体１の背面に密着するこ
とができる張力を付加することができるものを広く採用することができる。
【図面の簡単な説明】
【００３３】
【図１】本発明にかかる画像表示装置の一例の側面図である。
【図２】図１に示す画像表示装置の背面図である。
【図３】本発明にかかる画像表示装置の背面に配置される接地配線である。
【図４】図１に示す放熱板の斜視図である。
【図５】従来の画像表示装置の一例の側面図である。
【図６】図５に示す画像表示装置に取り付けられる接地配線の平面図である。
【符号の説明】
【００３４】
１  ＣＲＴ本体
１１  係合凸部
１２  背面
２  接地配線
３  テンションスプリング
４  キャビネット
５  放熱板
【図１】
2006041853.tif 000003
【図２】
2006041853.tif 000004
【図３】
2006041853.tif 000005
【図４】
2006041853.tif 000006
【図５】
2006041853.tif 000007
【図６】
2006041853.tif 000008